(57)【要約】【課題】洗顔における水や湯の使用量が少なくて済み、且つ髪の生え際等顔のすみずみについた洗顔料の泡や毛穴の汚れを手短かに素早く洗いおとすことが出来ると共に、美肌効果を奏することが可能であり、使い良い両手を入れて用いる洗顔用グローブを提供する。【解決手段】防水加工されたシルク１が湾状を形成可能にダーツ２を適宜設けると共に水漏れ防止用ガード３を設け、このシルク１とタオル４を親指出し部分５ａ，５ｂを除いておよそ袋状に縫製して成る、両手を入れて用いる洗顔用グローブＰを構成する。【選択図】図１
2004351188.tif 000002
【特許請求の範囲】
【請求項１】
防水加工されたシルクが湾状を形成可能にダーツを適宜設けると共に水漏れ防止用ガードを設け、このシルクとタオルを親指出部分を除いておよそ袋状に縫製して成るものであることを特徴とする両手を入れて用いる洗顔用グローブ。
【発明の詳細な説明】
【０００１】
【発明の属する技術分野】
本発明は、顔を洗う際に両手を入れて用いる洗顔用グローブに関するものであり、より詳しくは、少ない量の水で髪の生え際や顔のすみずみについた洗顔料や毛穴の汚れ等を、手短かに素早く洗いおとすことができると共に美肌効果を奏することを目的とする両手を入れて用いる洗顔用グローブに関するものである。
【０００２】
【従来の技術】
従来の一般的な洗顔にかかる水や湯の使用量と、顔についた洗顔料の泡や汚れ等を洗いおとす手際とか手間の観点から、水や湯を蛇口から出しっぱなしで素手で両手に溜めては洗う場合には、両手に溜める量が少ない為、その水や湯の大半を無駄にしていた。
又、洗面器に水や湯を張りタオルですくうようにして洗う場合にも、およそ満杯に張る為に必要以上の水や湯を使用しており、且つ、すくった水や湯が顔を洗うのに適量程度を、とどめておくことができず、その多くがタオルから流れ出ていた。
この為、顔のすみずみの泡や汚れ等をおとすのに勝手が悪く、素手又はタオルで繰り返し洗うというように手短かに素早く洗顔することができなかった。
【０００３】
また、美肌効果という観点から、シルクで肌をマッサージすると皮膚の角質を除去し新陳代謝を促し、肌に潤いを与え、いわゆる美肌効果があることは知られている。
このシルクを用いたものには、例えば、絹と木綿を積層し、四隅のみならず中央部も縫製して成るタオル（実開平７−３６８８５号公報参照）があった。
しかし、このタオルの場合、浴用として用いるものであり、節水という観念は加味されてはいず、その形態も平面的なものであった。
【０００４】
【特許文献１】
実開平７−３６８８５号公報
【０００５】
【発明が解決しようとする課題】
本発明は上述の背景に鑑みてなされたものであり、第１の目的は洗顔にかかる水や湯の使用量を軽減することである。第２の目的は洗顔における顔のすみずみまで手短かに素早く洗顔料の泡や汚れを洗いおとすと共に美肌効果を奏する使用勝手がよい洗顔用グローブを提供することを課題とする。
【０００６】
【課題を解決するための手段】
本発明は上記課題を解決するために、防水加工をしたシルク１が湾状を形成可能にダーツ２を適宜設けると共に水漏れ防止用ガード３を設け、このシルク１とタオル４を親指出し部分５ａ，５ｂを除いておよそ袋状に縫製して成るものである、両手を入れて用いる洗顔用グローブＰを構成することを特徴とする。
【０００７】
【発明の実施の形態】
本発明の洗顔用グローブの一実施の形態を以下、図面と共に説明する。
本洗顔用グローブＰは、シルク１とタオル４から成り、まず図１を参照して、シルク１面を説明する。
このシルク１面には、ダーツ２を適宜数設けると共に水漏れ防止用ガード３を設けシルク１が湾状を形成するようにする。そうすれば、洗顔に用いる水や湯の適当量を前記湾状に溜めることが容易となる。また、水漏れ防止用ガード３は、この溜めた水や湯が洗顔中等に流れ出ないようにする。
【０００８】
尚、このシルク１裏面には防水加工をする。この場合、防水加工をしないシルクを用いるなら、シルクの裏面に防水加工をした布を縫着すると、防水加工をしたと同様の効果を得ることができる。
【０００９】
また、このシルクに、任意ギャザーを設けることもよい。
【００１０】
次に、タオル４は、前記シルク１の裏面側に、図２に示すように適宜あてがい、図１で示すように、親指出し部分５ａ，５ｂを除いて縫着し、バイアステープ６で縁取りして、本洗顔用グローブＰを構成する。
【００１１】
このタオルにおいて、本洗顔用グローブＰに両手を入れたり又は二つ折り等にすることを考慮して、適宜余裕のある大きさにすることがよい。
又、このタオルに任意のギァザー７を設けることが好ましい。そうすれば、シルク１、タオル４間に両手を入れた際、この中で手を動かすことがある場合、より一層、窮屈にはならず、より使い良いものとなる。
又、このタオルをストレッチ素材のタオルとすることも可能である。そうすれば、伸縮可能の為、本洗顔用グローブに両手を入れて用いる場合に、より使用勝手がよいものとなる。
【００１２】
更に、本洗顔用グローブをフック等に掛けれるようにかけひも８を設ける。
【００１３】
このような構成の本洗顔用グローブＰを用いて洗顔するときは、図３に示すように、両手を入れ、親指左右を親指出し部分５ａ，５ｂから出し、両手を左右方向に拡げようとすると、シルク１面が湾状になっているので、且つ水漏れ防止用ガード３が水や湯が流れ出すのを防止する。これ即ち、手にはくグローブである。
図４は図３における手の状態を示す。このシルク１、タオル４の中は、およそ袋状に形成されており、この中で両手をマッサージ等で動かす場合にも適宜自在に動かすことが可能である。
【００１４】
そして、シルク１面に顔を付け、このシルク１面で洗顔料の泡や髪の生え際等顔のすみずみ又は毛穴の汚れ等を洗いおとすと共に、且つ、このシルク１面で額から鼻筋にかけてのＴゾーン、目頭、目尻、小鼻付近等のマッサージを行なうことができるものである。
【００１５】
洗顔後のすすぎを終えたら、本洗顔用グローブＰを絞り水気をきり、タオル４面で顔に残った水分を押し当てるようにして拭きとるものである。
【００１６】
更に、本洗顔用グローブは図５のように、二つ折りにたたんでも、バイアステープ６で縁取りしてあるのでスマートにたたむことができる。従って、少ない量の水や湯で顔を洗うことが多いキャンプ等の携行品としても好適である。
【００１７】
他の実施例として、上述のシルクに、眼鏡拭き等に用いられているポリエステルの任意大を複数カ所に縫着する構成とすることも可能である。又はシルクに代用して前記ポリエステルを用いる構成とすることも可能である。
【００１８】
【発明の効果】
本発明の洗顔用グローブは上述のとおり、シルクが防水加工され、且つシルク面が湾状であると共に水漏れ防止用ガードにより、顔を洗える程度の水や湯を入れて溜めることたができ、その水や湯がシルクから流れでない。
その水や湯の量で髪の生え際等についた洗顔料の泡や毛穴の汚れを洗いおとすことが可能となり、手短かに素早く洗顔をすることを可能とするものである。
しかも、洗顔における水や湯の使用量を大幅に軽減する効果を奏するものである。
【００１９】
また、シルクを用いて顔のマッサージを行なうことにより、特に女性の関心事である角質或いは無駄毛等を除去し、はり或いは潤い感がでる等の美肌効果を奏する。この場合、本洗顔用グローブは、親指出し部分を設けたので、使用において両手の夫々親指を出すと、本洗顔用グローブをより一層安定的なものとなる。
従って、シルク面で顔のマッサージを行なう際には各指を上手く動かすことが容易となる。
【００２０】
更に、上述のようにシルク面で顔を洗いながらマッサージを行ない、すすぎを終えたらタオル面で拭くと言う行為において、洗顔用グローブとしたこと且つ上述の節水効果を加味する構成は、家庭で用いることのみならずキャンプ等の携行品としても実用的でおおいに役立つ新しい価値である。
【図面の簡単な説明】
【図１】本洗顔用グローブのシルク表面を示す説明図である。
【図２】本洗顔用グローブのタオル面を示す説明図である。
【図３】本洗顔用グローブに両手を入れて用いることを示す説明図である。
【図４】図３の両手の一状態を示す説明図である。
【図５】本洗顔用グローブを二つ折りした場合の説明図である。
【符号の説明】
Ｐ‥‥‥‥‥‥‥‥‥‥本洗顔用グローブ
１‥‥‥‥‥‥‥‥‥‥シルク
２‥‥‥‥‥‥‥‥‥‥ダーツ
３‥‥‥‥‥‥‥‥‥‥水漏れ防止用ガード
４‥‥‥‥‥‥‥‥‥‥タオル
５ａ，ｂ‥‥‥‥‥‥‥親指出し部分
６‥‥‥‥‥‥‥‥‥‥バイアステープ
７‥‥‥‥‥‥‥‥‥‥ギァザー
８‥‥‥‥‥‥‥‥‥‥かけひも
【図１】
2004351188.tif 000003
【図２】
2004351188.tif 000004
【図３】
2004351188.tif 000005
【図４】
2004351188.tif 000006
【図５】
2004351188.tif 000007